(57)【要約】【課題】情報端末装置との間で規格化された近距離無線通信を行うためのＮＦＣ基板を備える画像形成装置であって、小型化に適した画像形成装置を提供する。【解決手段】画像形成装置２は、筐体２１と、該筐体２１の内部に配置される画像形成部と、前記筐体２１の外部に押圧面４３Ｂ１が露出するように配置され、前記画像形成部の操作を行う操作ボタン４３Ｂと、前記筐体２１の内部に配置され、近距離無線通信を行うためのループアンテナ４５Ａを有し、前記ループアンテナ４５Ａの内周側において厚み方向に貫通する第１貫通孔４５Ｂが形成された第１基板４５とを備え、前記操作ボタン４３Ｂは、前記第１貫通孔４５Ｂを貫通して配置される。【選択図】図３
2019142120.tif 000002
【特許請求の範囲】
【請求項１】
筐体と、
該筐体の内部に配置される画像形成部と、
前記筐体の外部に押圧面が露出するように配置され、前記画像形成部の操作を行う操作ボタンと、
前記筐体の内部に配置され、近距離無線通信を行うためのループアンテナを有し、前記ループアンテナの内周側において厚み方向に貫通する第１貫通孔が形成された第１基板とを備え、
前記操作ボタンは、前記第１貫通孔を貫通して配置される、
ことを特徴とする画像形成装置。
【請求項２】
前記筐体には、前記操作ボタンの押圧面を前記筐体の外部に露出させるための第２貫通孔部が形成され、
前記操作ボタンの押圧面は、前記第２貫通孔部が形成された前記筐体の外部表面よりも前記筐体の内側に配置される、
ことを特徴とする、請求項１に記載の画像形成装置。
【請求項３】
前記操作ボタンによって押圧される入力部を有する第２基板を備え、
前記第２基板の厚み方向において、前記筐体、前記第１基板、前記第２基板が順に並んで配置される、
ことを特徴とする、請求項１又は請求項２に記載の画像形成装置。
【請求項４】
前記入力部は、タクトスイッチであり、前記タクトスイッチは、前記第２基板の厚み方向において前記操作ボタンと重なる位置に配置される、
ことを特徴とする、請求項３に記載の画像形成装置。
【請求項５】
前記操作ボタンは、前記画像形成装置の電源のオン、オフを操作する電源ボタンである、
ことを特徴とする、請求項１〜請求項４の何れか１項に記載の画像形成装置。
【請求項６】
前記筐体において、
前記第１基板と隣り合う位置には、画像形成装置の操作を行うためのタッチパネルが設けられ、
前記筐体の前記第１基板に臨む領域は、前記タッチパネルから前記第１基板の前記第１貫通孔に向かうにつれて下方に傾斜する傾斜面に形成される、
ことを特徴とする、請求項１〜請求項５の何れか１項に記載の画像形成装置。
【請求項７】
前記操作ボタンの操作を受け付け、前記画像形成部の動作を制御する制御部を備え、
該制御部は、前記第１基板が、前記ループアンテナを介して近距離無線通信を実行している間、前記操作ボタンの操作を無効化する、
ことを特徴とする、請求項１〜請求項５の何れか１項に記載の画像形成装置。
【発明の詳細な説明】
【技術分野】
【０００１】
本発明は、画像形成装置の技術に関する。
【背景技術】
【０００２】
従来、スマートフォンやタブレット端末などの情報端末装置との間で、例えば規格化されたＮＦＣ（Ｎｅａｒ  Ｆｉｅｌｄ  Ｃｏｍｍｕｎｉｃａｔｉｏｎ）による近距離無線通信を可能とする画像形成装置が知られている（例えば、「特許文献１」を参照）。
このような画像形成装置においては、近距離無線通信を行うためのＮＦＣ基板が設けられており、操作性の観点から、当該ＮＦＣ基板は、画像形成装置の筐体の一部を構成する操作パネル内に配置されることが望ましい。
【０００３】
一方、近年においては、画像形成装置に対する小型化の要望が増々高くなっており、このような近距離無線通信を可能とする画像形成装置においても小型化が進められている。
【先行技術文献】
【特許文献】
【０００４】
【特許文献１】特開２０１７−１８４１９９号公報
【発明の概要】
【発明が解決しようとする課題】
【０００５】
しかしながら、操作パネル内には、画像形成装置全体の動作を制御する基板や、操作ボタンなどが配置されるため、これらの基板や操作ボタンと並べてＮＦＣ基板を配置すると操作パネル内のスペースが不足しがちであった。
【０００６】
そこで、本発明は、情報端末装置との間で規格化された近距離無線通信を行うためのＮＦＣ基板を備える画像形成装置であって、小型化に適した画像形成装置を提供することを課題とする。
【課題を解決するための手段】
【０００７】
本発明の解決しようとする課題は以上の如くであり、次にこの課題を解決するための手段を説明する。
【０００８】
上記課題を解決する画像形成装置は、以下の特徴を有する。
即ち、画像形成装置（２）は、筐体（２１）と、該筐体（２１）の内部に配置される画像形成部と、前記筐体（２１）の外部に押圧面（４３Ｂ１）が露出するように配置され、前記画像形成部の操作を行う操作ボタン（４３Ｂ）と、前記筐体（２１）の内部に配置され、近距離無線通信を行うためのループアンテナ（４５Ａ）を有し、前記ループアンテナ（４５Ａ）の内周側において厚み方向に貫通する第１貫通孔（４５Ｂ）が形成された第１基板（４５）とを備え、前記操作ボタン（４３Ｂ）は、前記第１貫通孔（４５Ｂ）を貫通して配置される。
【発明の効果】
【０００９】
本発明によれば、小型化に適した画像形成装置を提供することができる。
【図面の簡単な説明】
【００１０】
【図１】本発明の一実施形態に係る複合機の全体構成を示した斜視図である。
【図２】操作パネルにおけるＮＦＣ部の近傍を示した部分拡大斜視図である。
【図３】部操作パネルにおけるＮＦＣ部の内部構造を示した部分拡大斜視図である。
【図４】ＮＦＣ基板の形状を示した斜視図である。
【図５】操作パネルの内部構造を示した図であって、図２中の矢視Ａの方向から見た断面図である。
【発明を実施するための形態】
【００１１】
次に、本発明の一実施形態として、画像形成装置の一例であるプリンタユニット２、及び画像読取装置の一例であるスキャナユニット３を搭載した複合機１について、図１乃至図５を用いて説明する。
なお、以下の説明に関しては便宜上、図１乃至図３、及び図５においては、複合機１が使用可能に設置された状態を基準にして、操作パネル４が設けられた側を装置の前側と規定し、複合機１の上下方向、前後方向、及び左右方向を表示する。
【００１２】
［複合機１の全体構成］
先ず、複合機１の全体構成について、図１を用いて説明する。
複合機１は、プリンタユニット２、及びプリンタユニット２の上部に搭載されるスキャナユニット３などにより構成される。
【００１３】
プリンタユニット２は略箱型形状の筐体２１を備える。
また、筐体２１の上面前端部には、操作パネル４が設けられている。
【００１４】
筐体２１における操作パネル４の下方には、プリンタユニット２により画像が形成されたシートが排出される排出口５が形成される。排出口５の下方には、画像が形成される前のシートが収納されるシートカセット６が装着される。
【００１５】
また、筐体２１の内部には、シートカセット６から搬送されてきたシートに画像を形成し、画像が形成されたシートを排出口５に排出する画像形成部（図示せず）が配置されている。
なお、画像形成部の方式については特に限定されず、例えばインクジェットプリント方式やレーザープリント方式などを採用することができる。
【００１６】
スキャナユニット３は、フラットベッド型のカバー部３１、及びプリンタユニット２の上部且つカバー部３１の下部に配設される画像読取部（図示せず）などにより構成される。
ここで、画像読取部としては、例えば、読み取り対象となる原稿に向かって光源から光を照射して、その反射光を電気信号に変換するイメージセンサを、モータによって左右方向へ往復走査させるイメージスキャナを採用できる。
【００１７】
また、スキャナユニット３には、複数枚の原稿を一枚ずつ分離して記録面の画像をイメージセンサで読み取るためのＡＤＦ（Ａｕｔｏｍａｔｉｃ  Ｄｏｃｕｍｅｎｔ  Ｆｅｅｄｅｒ）３２が備えられている。
【００１８】
以上に説明した複合機１の各部のうち、少なくとも操作パネル４からの入力を受け付けて、画像形成部及び画像読取部の動作を制御するための制御部（図示せず）が、複合機１の筐体２１内部に設置されている。
前記制御部には、複合機１のプリンタ機能、スキャン機能、及びコピー機能などを実現するための各種処理を実行するマイコンが実装されている。
【００１９】
［操作パネル４の構成］
次に、操作パネル４の構成について、図１乃至図５を用いて説明する。
図１に示すように、操作パネル４は、筐体２１の前側の上面壁２１Ａを有し左右方向に延びるパネル部材４１、パネル部材４１の左右方向中央部に配置される表示部４２、パネル部材４１における表示部４２の一側（本実施形態においては、右側）に配置される操作部４３、及びＮＦＣ（Ｎｅａｒ  Ｆｉｅｌｄ  Ｃｏｍｍｕｎｉｃａｔｉｏｎ）部４４などにより構成される。
【００２０】
表示部４２は、複合機１の状態や機能等を表示するとともに、各種設定の入力操作を行うものである。
表示部４２は、例えば、抵抗膜方式や静電容量方式のタッチパネルと、液晶表示式の表示パネルとを厚さ方向に重ねた構成からなり、タッチパネル上に表示された操作キーを押圧操作することで、各種設定の入力操作を行うことが可能な構成となっている。
【００２１】
操作部４３は、複合機１の各種設定の入力操作を行うとともに、前述した制御部（図示せず）を介して画像形成部（図示せず）の操作を行うものである。
操作部４３は、操作ボタンの一例である複数の押しボタンで構成され、パネル部材４１の各所に分けて配置される。
【００２２】
具体的には、操作部４３は、表示部４２の右側において前後方向且つ左右方向に整列して配置される複数の第１押しボタン４３Ａ、及び第１押しボタン４３Ａ右側（即ち、ＮＦＣ部４４の配置位置）に配置される第２押しボタン４３Ｂなどにより構成される。
【００２３】
ここで、これらの第１押しボタン４３Ａ及び第２押しボタン４３Ｂは、パネル部材４１に形成された貫通孔を介して、筐体２１の外部に押圧面がそれぞれ露出するようにして配置されている。
【００２４】
そして、複数の第１押しボタン４３Ａは、ユーザが所望の機能を割り当てることができるファンクションキーとして設けられる。
また、第２押しボタン４３Ｂは、プリンタユニット２の電源のオン、オフを操作する電源ボタンとして設けられる。
【００２５】
ＮＦＣ部４４は、例えばスマートフォンやタブレット端末などの情報端末装置Ｐ（図５を参照）と、複合機１との間で、規格化されたＮＦＣによる近距離無線通信を行うための部位である。ここでいう規格化されたＮＦＣとは、ＩＳＯ／ＩＥＣ１８０９２（ＮＦＣＩＰ−１）という国際標準規格で定められた通信技術を基礎とした、１３．５６ＭＨｚの周波数を利用する通信距離１０ｃｍ程度の近距離無線通信技術を包含するものである。ＮＦＣ部４４は、第１押しボタン４３Ａの一側（本実施形態においては、右側）に配置されている。
ＮＦＣ部４４の内部、即ち筐体２１の上面前端部の内部には、第１基板の一例であるＮＦＣ基板４５、及び第２基板の一例であるパネル基板４６（図５を参照）が配置されている。
【００２６】
ＮＦＣ基板４５は、情報端末装置Ｐとの無線通信を行う際の通信部となるものであり、図４に示すように、ループアンテナ４５Ａ、及び図示せぬ通信回路や検出回路等を有する。
【００２７】
ここで、ループアンテナ４５Ａは、情報端末装置Ｐと近距離無線通信を行うための電波を送受信する機能を有する。
また、前記通信回路は、送受信される電波を信号処理する機能を有する。
さらに、前記検出回路は、ループアンテナ４５Ａに流れる電流を検出することにより、ループアンテナ４５Ａにて送受信される電波の強度を検出する機能を有する。
【００２８】
そして、ＮＦＣ基板４５におけるループアンテナ４５Ａの内周側には、厚み方向に貫通する第１貫通孔４５Ｂが形成されている。即ち、ループアンテナ４５Ａは第１貫通孔４５Ｂの外周部に配置されている。
このような構成からなるＮＦＣ基板４５は、図２に示すように、パネル部材４１（即ち、上面壁２１Ａ）に対向して筐体２１の上面前端部の内部に配置される。
【００２９】
図３に示すように、ＮＦＣ基板４５の第１貫通孔４５Ｂによる空間部を利用して、第２押しボタン４３Ｂが配置される。
即ち、第２押しボタン４３Ｂは、ＮＦＣ基板４５の第１貫通孔４５Ｂを貫通するようにして配置される。
【００３０】
このように、ＮＦＣ基板４５におけるループアンテナ４５Ａの内周側の余った場所（即ち、第１貫通孔４５Ｂ内の領域）を利用して第２押しボタン４３Ｂを配置することで、これらのＮＦＣ基板４５及び第２押しボタン４３Ｂを、平面視において重ねて配置することができる。
【００３１】
その結果、例えば、ＮＦＣ基板４５が配置される位置とは別の位置に第２押しボタン４３Ｂを配置する場合と比べて、筐体２１内部のスペースを有効に活用し、小型化に適したプリンタユニット２を提供することができる。
【００３２】
また、前述したように、第２押しボタン４３Ｂは、プリンタユニット２の電源ボタンであり、プリンタユニット２の電源をオンにした後は、あまり頻繁に操作する必要のない押しボタンである。
【００３３】
このような押しボタンを、ＮＦＣ基板４５の第１貫通孔４５Ｂに配置される操作ボタンとして選択することにより、ＮＦＣ基板４５との間で近距離無線通信を行うために情報端末装置ＰをＮＦＣ基板４５に近付けている最中においても、プリンタユニット２の操作が妨げられることはない。
【００３４】
なお、第２押しボタン４３Ｂの近傍には、当該第２押しボタン４３Ｂによるプリンタユニット２の電源のオン、オフ操作に基づき、点灯または消灯するＬＥＤ４８（図５を参照）の光を伝達する、円柱形状のＬＥＤライトガイド４７が設けられている。
【００３５】
そして、第２押しボタン４３Ｂと同様に、ＬＥＤライトガイド４７についても、ＮＦＣ基板４５におけるループアンテナ４５Ａの内周側の余った場所（即ち、第１貫通孔４５Ｂ内の領域）を利用して、第１貫通孔４５Ｂを貫通するようにして配置される。
【００３６】
ところで、前述したように、第２押しボタン４３Ｂは、第１押しボタン４３Ａとともに、筐体２１（より具体的には、パネル部材４１）の外部に押圧面が露出するようにして配置されている。
【００３７】
具体的には、図５に示すように、筐体２１の前側の上面壁２１Ａからなるパネル部材４１には、第２押しボタン４３Ｂの押圧面４３Ｂ１を、筐体２１（パネル部材４１）の外部に露出させるための第２貫通孔４１Ａが形成されている。
【００３８】
そして、第２押しボタン４３Ｂは、第２貫通孔４１Ａが形成された筐体２１（パネル部材４１）の外部表面よりも、押圧面４３Ｂ１が筐体２１（パネル部材４１）の内側（即ち、本実施形態においては、下側）に位置するようにして配置される。
【００３９】
このように、本実施形態においては、第２押しボタン４３Ｂの押圧面４３Ｂ１が、筐体２１（パネル部材４１）の外部表面より外側に突出することなく、第２貫通孔４１Ａ内に没入した状態となっている。
【００４０】
従って、例えば、ＮＦＣ基板４５との間で近距離無線通信を行うために、スマートフォンやタブレット端末などの情報端末装置Ｐを、筐体２１（パネル部材４１）の外側からＮＦＣ基板４５に近付けたとしても、情報端末装置Ｐが第２押しボタン４３Ｂと干渉するのを防止することができる。
【００４１】
その結果、例えば、第２押しボタン４３Ｂが情報端末装置Ｐと当たって不意に押し込まれ、意図していない制御が画像形成部に対して行われることを防止することができる。
【００４２】
なお、第２押しボタン４３Ｂと同様に、ＬＥＤライトガイド４７についても、その上端面４７Ａが、パネル部材４１に形成された第３貫通孔４１Ｂを介して、筐体２１（パネル部材４１）の外部表面より外側に突出することなく、第３貫通孔４１Ｂ内に没入した状態にて配設される。
【００４３】
パネル基板４６は、表示部４２（図１を参照）及びＮＦＣ基板４５と接続される一方、前述した画像形成部等の動作を制御するための制御部（図示せず）とも接続され、操作パネル４から入力された信号を処理し、処理された信号を前記制御部に出力する。
【００４４】
パネル基板４６は、ＮＦＣ部４４の内部、即ち筐体２１の上面前端部の内部において、ＮＦＣ基板４５よりも、筐体２１（パネル部材４１）の内側（即ち、本実施形態においては、下側）に位置するようにして配置される。
【００４５】
具体的には、パネル基板４６の厚み方向（上下方向）において、筐体２１（パネル部材４１）、ＮＦＣ基板４５、パネル基板４６が下方に向かって順に並んで配置されるとともに、パネル基板４６は、ＮＦＣ基板４５と対向して配置される。
【００４６】
このように、ＮＦＣ基板４５に対して筐体２１（パネル部材４１）の内側（下側）にパネル基板４６を配置することで、筐体２１（パネル部材４１）から離間させてパネル基板４６を配置することとなる。
【００４７】
その結果、ＮＦＣ基板４５との間で近距離無線通信を行うために、筐体２１（パネル部材４１）の外側から情報端末装置ＰをＮＦＣ基板４５に近付けた際に発生する静電気が、筐体２１からパネル基板４６に流れにくくなり、誤動作の発生を抑制することができる。
【００４８】
パネル基板４６は、例えば、第２押しボタン４３Ｂによって押圧される入力部を構成する、タクトスイッチ４９を備える。
タクトスイッチ４９は、パネル基板４６のＮＦＣ基板４５側（本実施形態においては上側）の面において、平面視にて第２押しボタン４３Ｂの押圧面４３Ｂ１と重なる位置に配置される。換言すると、タクトスイッチ４９は、パネル基板４６の厚み方向（本実施形態においては上下方向）において、第２押しボタン４３Ｂの押圧面４３Ｂ１と重なる位置に配置される。
【００４９】
このような構成を有することにより、第２押しボタン４３Ｂにおける押圧面４３Ｂ１の真下にタクトスイッチ４９が配置されることとなる。
その結果、第２押しボタン４３Ｂを押し込む際の押圧力は、タクトスイッチ４９に対して直下方向に負荷されるため、タクトスイッチ４９の誤動作を抑制するとともに、当該タクトスイッチ４９の耐久性の向上を図ることができる。
【００５０】
以上のような構成からなるＮＦＣ部４４において、情報端末装置Ｐと複合機１との間の近距離無線通信が行われる。
そして、前述した画像形成部等の動作を制御するための制御部（図示せず）においては、ＮＦＣ基板４５が、ループアンテナ４５Ａを介して近距離無線通信を実行している間、第１押しボタン４３Ａや第２押しボタン４３Ｂ等の操作を無効化するように制御されている。
【００５１】
このような構成を有することにより、ＮＦＣ基板４５との間で近距離無線通信を行うために、例えば、筐体２１の外側から、情報端末装置ＰをＮＦＣ基板４５に近付ける際、不意に第１押しボタン４３Ａや第２押しボタン４３Ｂ等と接触してこれらの押しボタン４３Ａ・４３Ｂが押し込まれたとしても、意図していない制御が画像形成部等に対して行われることを防止することができる。
【００５２】
なお、図２に示すように、ＮＦＣ基板４５が設けられるパネル部材４１の右側端部には、近距離無線通信を行う際に、情報端末装置Ｐ（図５を参照）を翳す（または、載置する）場所であることを示すマーク５０が印字されている。
そして、ユーザはこのマーク５０を目印として、情報端末装置Ｐを翳す（または、載置する）ことで、情報端末装置Ｐと複合機１との間で、無線通信を行うことができる。
【００５３】
ところで、図１に示すように、筐体２１の上面壁２１Ａによって構成されるパネル部材４１の右側端部、即ちＮＦＣ基板４５に臨む領域は、右方に向かって徐々に下方に傾斜するように形成されている。
【００５４】
換言すると、筐体２１の上面壁２１Ａ（パネル部材４１）において、ＮＦＣ基板４５と隣り合う左側の位置には、プリンタユニット２の操作を行うためのタッチパネルによって構成される表示部４２が、複数の第１押しボタン４３Ａを介して設けられている。
また、図２に示すように、パネル部材４１のＮＦＣ基板４５に臨む領域は、表示部４２からＮＦＣ基板４５の第１貫通孔４５Ｂに向かう右方向に向かって、徐々に下方に傾斜する傾斜面に形成されている。
【００５５】
このような構成を有することにより、例えば、ＮＦＣ基板４５との間で近距離無線通信を行うために、情報端末装置Ｐ（図５を参照）を筐体２１（パネル部材４１）の上面に載置して、当該情報端末装置ＰをＮＦＣ基板４５に翳したとしても、前記上面は、表示部４２からＮＦＣ基板４５の第１貫通孔４５Ｂに向かって下方に傾斜する傾斜面に形成されているため、情報端末装置Ｐが不意に表示部４２側に滑って複数の第１押しボタン４３Ａ等に接触するようなこともない。
【００５６】
その結果、情報端末装置Ｐとの接触により、意図していない制御が、表示部４２や複数の第１押しボタン４３Ａ等によって画像形成部（図示せず）に対して行われるようなことを防止することができる。
【００５７】
[本実施形態における効果]
本実施形態において、プリンタユニット（画像形成装置）２は上述のように構成されている。
即ち、プリンタユニット（画像形成装置）２は、筐体２１と、筐体２１の内部に配置される画像形成部（図示せず）と、筐体２１の前側の上面壁２１Ａからなるパネル部材４１の外部に押圧面４３Ｂ１が露出するように配置され、前記画像形成部（図示せず）の操作を行う第２押しボタン（操作ボタン）４３Ｂとを備える。
【００５８】
また、プリンタユニット（画像形成装置）２は、筐体２１の上面前端部の内部に配置され、近距離無線通信を行うためのループアンテナ４５Ａを有し、ループアンテナ４５Ａの内周側において厚み方向に貫通する第１貫通孔４５Ｂが形成されたＮＦＣ基板（第１基板）４５を備える。
【００５９】
そして、第２押しボタン（操作ボタン）４３Ｂは、第１貫通孔４５Ｂを貫通して配置される。
【００６０】
このような構成を有することにより、ＮＦＣ基板（第１基板）４５において、ループアンテナ４５Ａの内周側の余った場所を利用して第２押しボタン（操作ボタン）４３Ｂを配置することで、ＮＦＣ基板（第１基板）４５と第２押しボタン（操作ボタン）４３Ｂとを重ねて配置することができる。
【００６１】
その結果、例えば、ＮＦＣ基板（第１基板）４５が配置される位置と別の位置に第２押しボタン（操作ボタン）４３Ｂを配置する場合と比べて、筐体２１の内部のスペースを有効に活用し、小型化に適したプリンタユニット（画像形成装置）２を提供することができる。
【００６２】
また、筐体２１の前側の上面壁２１Ａからなるパネル部材４１には、第２押しボタン（操作ボタン）４３Ｂの押圧面４３Ｂ１を筐体２１（パネル部材４１）の外部に露出させるための第２貫通孔４１Ａが形成され、第２押しボタン（操作ボタン）４３Ｂの押圧面４３Ｂ１は、第２貫通孔４１Ａが形成された筐体２１（パネル部材４１）の外部表面よりも当該筐体２１（パネル部材４１）の内側に配置される。
【００６３】
このような構成を有することにより、例えばＮＦＣ基板（第１基板）４５との間で近距離無線通信を行うために、スマートフォンやタブレット端末などの情報端末装置Ｐを、筐体２１の外側からＮＦＣ基板（第１基板）４５に近付けたとしても、情報端末装置Ｐが第２押しボタン（操作ボタン）４３Ｂと干渉するのを防止することができる。
【００６４】
その結果、例えば、情報端末装置Ｐと当たって第２押しボタン（操作ボタン）４３Ｂが不意に押し込まれ、意図していない制御が画像形成部（図示せず）に対して行われることを防止することができる。
【００６５】
また、第２押しボタン（操作ボタン）４３Ｂによって押圧される入力部を有するパネル基板（第２基板）４６を備え、パネル基板（第２基板）４６の厚み方向において、筐体２１の上面壁２１Ａからなるパネル部材４１、ＮＦＣ基板（第１基板）４５、パネル基板（第２基板）４６が順に並んで配置される。
【００６６】
このような構成を有することにより、ＮＦＣ基板（第１基板）４５に対して、筐体２１（パネル部材４１）の内側にパネル基材（第２基板）４６を配置することにより、筐体２１（パネル部材４１）から離間させてパネル基板（第２基板）４６を配置することができる。
【００６７】
その結果、ＮＦＣ基板（第１基板）４５との間で近距離無線通信を行うために、筐体２１（パネル部材４１）の外側から情報端末装置ＰをＮＦＣ基板（第１基板）４５に近付けた際に発生する静電気が筐体２１からパネル基板（第２基板）４６に流れにくくなり、誤動作の発生を抑制することができる。
【００６８】
また、前記入力部は、タクトスイッチ４９であり、タクトスイッチ４９は、パネル基板（第２基板）４６の厚み方向において第２押しボタン（操作ボタン）４３Ｂと重なる位置に配置される。
【００６９】
このような構成を有することにより、第２押しボタン（操作ボタン）４３Ｂの真下にタクトスイッチ４９が配置されることとなる。
【００７０】
その結果、第２押しボタン（操作ボタン）４３Ｂを押し込む際の押圧力は、タクトスイッチ４９に対して直下方向に負荷されるため、タクトスイッチ４９の誤動作を抑制するとともに、当該タクトスイッチ４９の耐久性の向上を図ることができる。
【００７１】
また、第２押しボタン（操作ボタン）４３Ｂは、プリンタユニット（画像形成装置）２の電源のオン、オフを操作する電源ボタンである。
【００７２】
このように、本実施形態においては、プリンタユニット（画像形成装置）２の電源をオンにした後にはあまり頻繁に操作する必要のない電源ボタンを、ＮＦＣ基板（第１基板）４５の第１貫通孔４５Ｂに配置される第２押しボタン（操作ボタン）４３Ｂとして選択することとしている。
【００７３】
よって、ＮＦＣ基板（第１基板）４５との間で近距離無線通信を行うために情報端末装置ＰをＮＦＣ基板（第１基板）４５に近付けている最中においても、プリンタユニット（画像形成装置）２の操作が妨げられることはない。
【００７４】
また、筐体２１の上面壁２１Ａ（パネル部材４１）において、ＮＦＣ基板（第１基板）４５と隣り合う位置には、プリンタユニット（画像形成装置）２の操作を行うためのタッチパネルによって構成される表示部４２が設けられている。
そして、筐体２１（パネル部材４１）のＮＦＣ基板（第１基板）４５に臨む領域は、表示部４２（タッチパネル）からＮＦＣ基板（第１基板）４５の第１貫通孔４５Ｂに向かうにつれて下方に傾斜する傾斜面に形成される。
【００７５】
このような構成を有することにより、例えばＮＦＣ基板（第１基板）４５との間で近距離無線通信を行うために、情報端末装置Ｐを筐体２１（パネル部材４１）の上面に載置して、当該情報端末装置ＰをＮＦＣ基板（第１基板）４５に翳したとしても、前記上面は、表示部４２からＮＦＣ基板（第１基板）４５の第１貫通孔４５Ｂに向かって下方に傾斜する傾斜面に形成されているため、情報端末装置Ｐが不意に表示部４２側に滑って複数の第１押しボタン４３Ａ等に接触するようなこともない。
【００７６】
その結果、情報端末装置Ｐとの接触により、意図していない制御が、表示部４２や複数の第１押しボタン４３Ａ等によって画像形成部（図示せず）に対して行われるようなことを防止することができる。
【００７７】
また、本実施形態においては、第１押しボタン４３Ａや第２押しボタン４３Ｂからなる操作ボタンの操作を受け付け、画像形成部（図示せず）の動作を制御する制御部（図示せず）を備える。
そして、前記制御部は、ＮＦＣ基板（第１基板）４５が、ループアンテナ４５Ａを介して近距離無線通信を実行している間、これらの第１押しボタン４３Ａや第２押しボタン４３Ｂによる操作を無効化するように制御されている。
【００７８】
このような構成を有することにより、ＮＦＣ基板（第１基板）４５との間で近距離無線通信を行うために、例えば、筐体２１の外側から、情報端末装置ＰをＮＦＣ基板（第１基板）４５に近付ける際、不意に第１押しボタン４３Ａや第２押しボタン４３Ｂ等と接触してこれらの押しボタン４３Ａ、４３Ｂが押し込まれたとしても、意図していない制御が画像形成部（図示せず）に対して行われることを防止することができる。
【符号の説明】
【００７９】
２    プリンタユニット（画像形成装置）
２１    筐体
２１Ａ    上面壁（筐体）
４１    パネル部材（筐体）
４１Ａ    第２貫通孔
４２    表示部４２（タッチパネル）
４３Ａ    第１押しボタン（操作ボタン）
４３Ｂ    第２押しボタン（操作ボタン）
４３Ｂ１    押圧面
４５    ＮＦＣ基板（第１基板）
４５Ａ    ループアンテナ
４５Ｂ    第１貫通孔
４６    パネル基板（第２基板）
４９    タクトスイッチ
【図１】
2019142120.tif 000003
【図２】
2019142120.tif 000004
【図３】
2019142120.tif 000005
【図４】
2019142120.tif 000006
【図５】
2019142120.tif 000007